(57)【特許請求の範囲】
【請求項１】
光線を反射するための環状側面と、前記環状側面の内側に位置する入射面と、前記入射面との反対側に位置する出射面とを含み、前記入射面の包囲により溝状空間が形成された第１のレンズ部と、
前記第１のレンズ部との相対位置を一定に保持しながら、光拡散面及び出光面を含む第２のレンズ部と、備える発光モジュールの組合せレンズであって、
前記光拡散面と前記出射面とは互いに間隔をあけて配置され、前記光拡散面に、前記出射面を正投影する投影エリア上複数の光拡散微細構造が配置され、
前記出光面及び前記光拡散面はそれぞれ前記第２のレンズ部における異なる側に配置され、
前記入射面から光線が前記組合せレンズに入射してから、前記出射面と複数の前記光拡散微細構造に通過し、前記出光面を通して前記組合せレンズから出射し、
前記光拡散面と前記出射面との間の距離は、前記光拡散面と前記出光面との間の距離の以下である、ことを特徴とする、発光モジュールの組合せレンズ。
【請求項２】
前記光拡散面と前記出射面との間にガス状媒体層が配置され、複数の前記光拡散微細構造は、前記ガス状媒体層に露出する、請求項１に記載の発光モジュールの組合せレンズ。
【請求項３】
前記光拡散面と前記出射面との間に充填された透光性接着剤層をさらに含み、
複数の前記光拡散微細構造が前記透光性接着剤層に埋め込まれる、請求項１に記載の発光モジュールの組合せレンズ。
【請求項４】
前記環状側面及び前記出光面にいずれの光拡散微細構造の形成されていない、請求項１に記載の発光モジュールの組合せレンズ。
【請求項５】
組合せレンズ及び発光要素を具備する、発光モジュールであって、
前記組合せレンズは、
光線を反射するための環状側面と、前記環状側面の内側に位置する入射面と、前記入射面との反対側に位置する出射面とを含み、前記入射面の包囲により溝状空間が形成された第１のレンズ部と、
前記第１のレンズ部との相対位置を一定に保持しながら、光拡散面及び出光面を含む第２のレンズ部と、を備え、
前記光拡散面と前記出射面とは互いに間隔をあけて配置され、前記光拡散面に、前記出射面を正投影する投影エリアに複数の光拡散微細構造が配置され、
前記出光面及び前記光拡散面はそれぞれ、前記第２のレンズ部における異なる側に配置され、
前記発光要素は、前記第１のレンズ部の前記入射面に光線を発光するために用いられ、前記入射面から光線が前記組合せレンズに入射してから、前記出射面と複数の前記光拡散微細構造に通過し、前記出光面を通して前記組合せレンズから出射し、
前記光拡散面と前記出射面との間の距離は、前記光拡散面と前記出光面との間の距離の以下である、ことを特徴とする、発光モジュール。
【請求項６】
前記組合せレンズに中心軸が定義され、前記発光要素が前記中心軸に位置するが、前記溝状空間に位置しない、請求項５に記載の発光モジュール。
【請求項７】
前記組合せレンズに中心軸が定義され、前記発光要素が前記中心軸に位置し、かつ、前記発光要素の少なくとも一部が前記溝状空間内に位置する、請求項５に記載の発光モジュール。
【請求項８】
前記光拡散面と前記出射面の間にガス状媒体層が配置され、かつ、複数の前記光拡散微細構造は前記ガス状媒体層に露出する、請求項５に記載の発光モジュール。
【請求項９】
前記光拡散面と前記出射面との間に透光性接着剤層が充填され、かつ、複数の前記光拡散微細構造は前記透光性接着剤層内に埋め込まれる、請求項５に記載の発光モジュール。
【請求項１０】
前記環状側面及び前記出光面に光拡散微細構造が形成されていない、請求項５に記載の発光モジュール。
【請求項１１】
組合せレンズ、発光要素及び載設台を具備するランプであって
前記組合せレンズは、
光線を反射するための環状側面と、前記環状側面の内側に位置する入射面と、前記入射面との反対側に位置する出射面と、を含み、前記入射面の包囲により溝状空間が形成された第１のレンズ部と、
前記第１のレンズ部との相対位置を一定に保持しながら、光拡散面及び出光面を含む第２のレンズ部と、を備え、
前記光拡散面と前記出射面とは互いに間隔をあけて配置され、前記光拡散面に、前記出射面を正投影する投影エリアに複数の光拡散微細構造が配置され、
前記出光面及び前記光拡散面はそれぞれ、前記第２のレンズ部における異なる側に配置され、
前記発光要素は、前記第１のレンズ部の前記入射面に光線を発光するために用いられ、
前記載設台に外部電源が着脱自由に取り付けられ、
前記発光要素は、前記載設台に電気的に接続ように固定され、かつ、前記組合せレンズは、前記発光要素の一側に位置するように前記載設台に取り付けられ、
前記載設台が前記外部電源から電力を取得することにより、前記発光要素が前記入射面に向かって前記光線を発光すると、前記入射面から前記光線が前記組合せレンズに入射してから、前記出射面と複数の前記光拡散微細構造を通過し、前記出光面を通して前記組合せレンズから出射し、
前記組合せレンズにおいて、前記光拡散面と前記出射面との間の距離は、前記光拡散面と前記出光面の間の距離以下である、ことを特徴とする、
ランプ。
【請求項１２】
前記第２のレンズ部は、透光パネルと、前記透光パネルの周縁部に形成された外周フランジとを有し、前記光拡散面は、前記透光パネルの内面に位置し、前記出光面は、前記透光パネルの外面に位置し、前記第１のレンズ部の前記出射面、及び前記出射面に近接する前記環状側面はいずれも前記外周フランジで取り囲んだ空間に位置し、前記第２のレンズ部の前記外周フランジは、前記載設台に係合する、請求項１１に記載のランプ。
【請求項１３】
前記組合せレンズにおいて、前記光拡散面と前記出射面との間に、ガス状媒体層が配置され、複数の前記光拡散微細構造は、前記ガス状媒体層に露出する、請求項１１に記載のランプ。
【請求項１４】
前記組合せレンズにおいて、前記光拡散面と前記出射面との間に透光性接着剤層が充填され、複数の前記光拡散微細構造が前記透光性接着剤層内に埋め込まれる、請求項１１に記載のランプ。
【請求項１５】
前記組合せレンズにおいて、前記環状側面及び前記出光面に光拡散微細構造が形成されていない、請求項１１に記載のランプ。
【請求項１６】
前記組合せレンズに、中心軸が定義され、前記発光要素は、前記中心軸に位置するが、前記溝状空間に位置しない、請求項１１に記載のランプ。
【請求項１７】
前記組合せレンズに、中心軸が定義され、前記発光要素が前記中心軸に位置すると共に、前記発光要素の少なくとも一部が前記溝状空間内に位置する、請求項１１に記載のランプ。
【発明の詳細な説明】
【技術分野】
【０００１】
本発明は、レンズに関し、特に、ランプ、発光モジュール及びその組合せレンズに関する。
【背景技術】
【０００２】
従来、レンズでは、それが出光する光線が均質化にするために、レンズの外層（例えば、出光面）に光拡散処理を施すことが一般である。なお、既存のレンズに形成された光拡散領域では、外部要因により影響が及ばされやすいため、光の均一性が低下しまう場合もある。
【発明の概要】
【発明が解決しようとする課題】
【０００３】
本発明による解決しようとする課題では、上記既存のレンズに存在する欠点を改善し得る、ランプ、発光モジュール及びその組合せレンズを提供することである。
【課題を解決するための手段】
【０００４】
本発明に係る実施形態は、組合せレンズ、発光要素及び載設台を具備するランプを開示する。前記組合せレンズは、光線を反射するための環状側面と、前記環状側面の内側に位置する入射面と、前記入射面との反対側に位置する出射面と、を含み、前記入射面の包囲により溝状空間が形成された第１のレンズ部と、前記第１のレンズ部との相対位置を一定に保持しながら、光拡散面及び出光面を含む第２のレンズ部と、を具備し、前記光拡散面は、前記出射面と互いに間隔をあけて配置され、前記光拡散面に、前記出射面を正投影することによって定義される投影エリア上に配置された複数の光拡散微細構造を有し、前記出光面及び前記光拡散面はそれぞれ前記第２のレンズ部における異なる側に配置され、前記発光要素は、前記第１のレンズ部の前記入射面に光線を発光するために用いられ、前記載設台に外部電源が着脱自由に取り付けられ、前記発光要素は、前記載設台に電気的に接続ように固定され、かつ、前記組合せレンズは、前記発光要素の一側に位置するように前記載設台に取り付けられ、前記載設台は、前記外部電源から電力を取得することにより、前記発光要素を前記入射面に向かって前記光線を発光すると、前記入射面から光線が前記組合せレンズに入射してから、前記出射面と複数の前記光拡散微細構造を通過し、前記出光面を通して前記組合せレンズから出射する。
【０００５】
好ましくは、前記第２のレンズ部は、透光パネルと、前記透光パネルの周縁部に形成された外周フランジとを有し、前記光拡散面は、前記透光パネルの内面に位置し、前記出光面は、前記透光パネルの外面に位置し、前記第１のレンズ部の前記出射面、及び前記出射面に近接する前記環状側面はいずれも前記外周フランジで取り囲んだ空間に位置し、前記第２のレンズ部の前記外周フランジは、前記載設台に係合する。
【０００６】
本発明に係る別の実施形態は、組合せレンズ及び発光要素を具備する、発光モジュールを開示する。前記組合せレンズは、光線を反射するための環状側面と、前記環状側面の内側に位置する入射面と、前記入射面との反対側に位置する出射面と、を含み、前記入射面の包囲により溝状空間が形成された第１のレンズ部と、前記第１のレンズ部との相対位置を一定に保持しながら、光拡散面及び出光面を含む第２のレンズ部と、を具備し、前記光拡散面は、前記出射面と互いに間隔をあけて配置され、前記光拡散面に、前記出射面を正投影することによって定義される投影エリア上に配置された複数の光拡散微細構造を有し、前記出光面及び前記光拡散面はそれぞれ前記第２のレンズ部における異なる側に配置され、前記発光要素は、前記第１のレンズ部の前記入射面に光線を発光するために用いられ、前記入射面から光線が前記組合せレンズに入射してから、前記出射面と複数の前記光拡散微細構造に通過し、前記出光面を通して前記組合せレンズから出射する。
【０００７】
好ましくは、前記組合せレンズに中心軸が定義され、前記発光要素が前記中心軸に位置するが、前記溝状空間に位置しない。
【０００８】
好ましくは、前記組合せレンズに中心軸が定義され、前記発光要素が前記中心軸に位置し、かつ、前記発光要素の少なくとも一部が前記溝状空間内に位置する。
【０００９】
本発明に係るさらに別の実施形態は、組合せレンズを開示する。前記組合せレンズは、光線を反射するための環状側面と、前記環状側面の内側に位置する入射面と、前記入射面との反対側に位置する出射面とを含み、前記入射面の包囲により溝状空間が形成された第１のレンズ部と、前記第１のレンズ部との相対位置を一定に保持しながら、光拡散面及び出光面を含む第２のレンズ部と、を具備する。前記光拡散面は、前記出射面と互いに間隔をあけて配置され、前記光拡散面に、前記出射面を正投影することによって定義される投影エリア上に配置された複数の光拡散微細構造を有し、前記出光面及び前記光拡散面はそれぞれ前記第２のレンズ部における異なる側に配置され、前記入射面から光線が前記組合せレンズに入射してから、前記出射面と複数の前記光拡散微細構造に通過し、前記出光面を通して前記組合せレンズから出射する。
【００１０】
好ましくは、前記光拡散面と前記出射面との間の距離は、前記光拡散面と前記出光面との間の距離の以下である。
【００１１】
好ましくは、前記光拡散面と前記出射面との間にガス状媒体層が配置され、複数の前記光拡散微細構造は、前記ガス状媒体層に露出する。
【００１２】
好ましくは、前記光拡散面と前記出射面との間に充填された透光性接着剤層をさらに含み、複数の前記光拡散微細構造が前記透光性接着剤層に埋め込まれる。
【００１３】
好ましくは、前記環状側面及び前記出光面にいずれの光拡散微細構造の形成されていない。
【発明の効果】
【００１４】
上記を纏めて、本発明に係る実施形態が公開するランプ、発光モジュール及びその組合せレンズでは、複数の光拡散微細構造を前記組合せレンズの内側（かつ前記投影エリアに位置する）ことにより、前記第１のレンズ部の出射面から出射する光線は、前記複数の光拡散微細構造により均質化されてさらに柔らかくされることができる。かつ、その構成により、前記複数の光拡散微細構造には、組合せレンズ以外の外部要因による影響がかかりにくくなるため、前記組合せレンズの光学的な効果をさらに確保することができる。
【図面の簡単な説明】
【００１５】
【図１】本発明に係る第１の実施形態のランプを示す模式図である。
【図２】図１の断面模式図である。
【図３】図２の部分拡大図である。
【図４】本発明に係る第１の実施形態の組合せレンズを示す分解模式図である。
【図５】本発明に係る第２の実施形態の組合せレンズを示す模式図である。
【図６】本発明に係る第３の実施形態の発光モジュールを示す模式図である。
【図７】本発明に係る第４の実施形態の組合せレンズを示す模式図である。
【発明を実施するための形態】
【００１６】
発明の特徴及び技術内容がより一層分かるように、以下本発明に関する詳細な説明と添付図面を参照する。しかし、提供される添付図面は参考と説明のために提供するものに過ぎず、本発明の特許請求の範囲を制限するためのものではない。
【００１７】
［第１の実施形態］
図１乃至図４を参照されたい。本実施形態は、ランプ１０００を開示する。かつ、前記ランプ１０００について、本実施形態では、電球を例として説明するが、本発明はこの例に制限されない。なかでも、前記ランプ１０００は、組合せレンズ１００と、位置が上記組合せレンズ１００と対応する発光要素２００と、上記組合せレンズ１００及び発光要素２００が組み込まれた載設台３００とを備える。また、本実施形態のランプ１０００では、別の領域（例えば、撮像分野）に使えるレンズとは異なって、例えば、照明分野に向けるものを組合せレンズ１００として採用することが好ましい。
【００１８】
特筆すべきは、実施形態において、上記組合せレンズ１００及び発光要素２００は、一緒に発光モジュールと呼ばれる場合がある。本実施形態では、前記組合せレンズ１００は、上記発光要素２００及び載設台３００と対応するものである。或いは、前記発光モジュールは、載設台３００に対応するものであってもよいが、本発明はこれらの例に制限されない。本発明に係る図示しない別の実施形態において、前記組合せレンズ１００又は発光モジュールが例えば、別売等、個別に使用されてもよいが、又は他の部材と合わせて使用されてもよい。
【００１９】
本実施形態において、前記組合せレンズ１００に中心軸Ｃが定義され、かつ、前記組合せレンズ１００は、上記中心軸Ｃに対称的に配置されている。なかでも、前記組合せレンズ１００は、相対位置が一定に保持されている第１のレンズ部１と第２のレンズ部２とを含み、かつ、前記第１のレンズ部１と第２のレンズ部２とは互いに間隔をあけて配置される。即ち、本実施形態では、第１のレンズ部１及び第２のレンズ部２としては、その間に間隔が設けられない任意なレンズ部を排除する。
【００２０】
さらに言えば、本実施形態において、前記第１のレンズ部１及び第２のレンズ部２は、前記載設台３００に取付けあれることにより、それらの相対位置を一定に保持する。なお、本発明はこの例に制限されない。例えば、本発明では図示しない別の実施形態において、前記第１のレンズ部１と第２のレンズ部２との相対位置の位置決める技法としては、粘着、超音波溶接、外部コンポーネントの固定（ねじロックなど）、またはその他の接続方法を採用してもよい。
【００２１】
前記第１のレンズ部１は、一体成形したワンピース構造であり、かつ、前記第１のレンズ部１（の表面）は、環状側面１１と、前記環状側面１１の内側に位置する入射面１２と、前記環状側面１１と入射面１２との間に位置する複数の側面入射面１３及び複数の反射面１４と、前記入射面１２と反対側に位置する出射面１５とを備える。なかでも、前記中心軸Ｃは、前記入射面１２及び出射面１５を貫通しており、かつ、前記環状側面１１、複数の側面入射面１３、及び複数の反射面１４は、前記中心軸Ｃの周りに外側に寄って配置される。かつ、本実施形態において、入射面１２、複数の側面入射面１３、及び複数の反射面１４は、いずれも前記環状側面１１で取り囲まれた空間内に配置される。なお、本発明はこれに制限されない。
【００２２】
さらに言えば、本実施形態において、前記環状側面１１は、実質的に円環状に形成されると共に、その中心は前記中心軸Ｃに位置する。かつ、前記環状側面１１は、第１のレンズ部１内で走る光線を反射するために用いられてもよい。それにより、前記光線が出射面１５に向かうようにする。なお、本実施形態において、環状側面１１に、いずれの光拡散処理も施されてはない。即ち、前記組合せレンズ１００では、その環状側面１１にいずれの光拡散微細構造も配置されていない。それにより、環状側面に光拡散微細構造が形成されたレンズのいずれも、本実施形態における第１のレンズ部１ではない。
【００２３】
本実施形態において、前記入射面１２は、前記中心軸Ｃに貫通された前方入射領域１２１と、前記前方入射領域１２１に連接する側方入射領域１２２とを含む。なかでも、前記前方入射領域１２１は、その周縁が実質的に円形に形成されると共に、その中心が前記中心軸Ｃに位置する。かつ、前記側方入射領域１２２は、実質的に垂直的に前記前方入射領域１２１の周縁と連接され、それにより、前記入射面１２の包囲によって、溝状空間１２３が形成する。
【００２４】
前記複数の側面入射面１３と複数の反射面１４とは、前記側方入射領域１２２と環状側面１１との間に、交互に配置される。また、前記側方入射領域１２２とそれに隣り合った前記側面入射面１３との間に、前記反射面１４が配置され、かつ、隣り合ったいずれか２つの側面入射面１３の間に、反射面１４が配置される。なかでも、前記複数の側面入射面１３のそれぞれの役割は、前記側方入射領域１２２に似っている。なお、複数の反射面１４のそれぞれの役割は、前記環状側面１１に似っている。ところが、本実施形態において、いずれの反射面１４にも光拡散処理も施されていなく、即ち、反射面１４にいずれの光拡散微細構造も形成されない。そのため、反射面に光拡散微細構造が形成されたレンズでは、本実施形態における第１のレンズ部１ではない。
【００２５】
本実施形態において、前記出射面１５が平坦面に形成されると共に、その中心が前記中心軸Ｃに位置する。また、前記出射面１５が、前記中心軸Ｃに垂直となる。なかでも、本実施形態において、出射面１５にいずれの光拡散処理も施されていなく、即ち、出射面１５にいずれの光拡散微細構造も形成されていないため、出射面に光拡散微細構造が形成されたレンズでは、本実施形態における第１のレンズ部１ではない。
【００２６】
それで、前記第１のレンズ部１は、前記入射面１２及び複数の側面入射面１３が形成されたことにより、光線が異なる経路に沿って、前記第１のレンズ部１内に入射することが可能となり、かつ、前記光線が前記入射面１２及び複数の側面入射面１３によって、異なる屈折経路に沿って伝送されることができる。また、前記異なる屈折経路では、互いに影響を及ぼして、さらに異なる屈折経路を生じっていく。それにより、前記光線が前記出射面１５まで分散されることにより、前記第１のレンズ部１の出射面１５による出光の均一性をさらに向上させることができる。
【００２７】
前記第２のレンズ部２は、一体成形したワンピース構造に形成されると共に、本実施形態において、前記第２のレンズ部２は、透光パネル２１、及び前記透光パネル２１の周縁部に形成された外周フランジ２２を備える。なかでも、本実施形態において、前記透光パネル２１は、透明のフラット板状に形成されており、前記外周フランジ２２は実質的に透光パネル２１に垂直となるように透光パネル２１に連接される。
【００２８】
さらに言えば、例えば、前記出射面１５、出射面１５に近接する一部の前記環状側面１１、前記入射面１２の一部、側面入射面１３毎の少なくとも一部、又は反射面１４毎の少なくとも一部等、前記第１のレンズ部１の一部表面は、前記外周フランジ２２で取り囲まれた空間内に配置されると共に、前記第２のレンズ部２の外周フランジ２２は、前記載設台３００に係合される。
【００２９】
別の視点から見れば、前記第２のレンズ部２（の表面）は、互いに反対側に位置する光拡散面２３と出光面２４を含む。かつ、本実施形態において、前記光拡散面２３は、前記透光パネル２１の内面に配置され、前記出光面２４は前記透光パネル２１の外面に配置される。なかでも、前記第２のレンズ部２の光拡散面２３は、前記第１のレンズ部１の出射面１５と互いに間隔をあけて配置される。なお、前記光拡散面２３と出射面１５との間に間隔となる距離Ｄは、前記光拡散面２３と出光面２４との間の距離、即ち、透光パネル２１の厚さＴの以下にされることが好ましいが、本発明はこの例に制限されない。
【００３０】
さらに言えば、前記光拡散面２３は、前記第２のレンズ部２における光拡散処理が施されている内面である。なお、前記光拡散処理の技法としては、塗料の塗布、所定の曲率をもつ高密度構造の設定、つや消し処理、または複数の周期的プリズムの形成等が挙げられるが、本発明はこれらの例に制限されない。構成から見れば、前記光拡散面２３に、例えば、前記光拡散処理の技法によって、複数の光拡散微細構造２３１が形成されてもよい。かつ、複数の前記光拡散微細構造２３１は、前記出射面１５が前記光拡散面２３に正投影する場合の投影エリアに配置される。なお、前記光拡散微細構造２３１の具体的な構成は、デザイン又はニーズに応じて調整することができ、本実施形態に図示されたものに制限されない。
【００３１】
また、本実施形態において、前記出光面２４は、平坦面に形成されると共に、その中心が前記中心軸Ｃに位置してもよい。なお、本発明に係る図示しない別の実施形態において、前記出光面２４は、デザインやニーズに応じて、凹面または凸面に形成されてもよい。なお、本実施形態の出光面２４には、何れの光拡散処理も施されていない。即ち、前記組合せレンズ１００では、前記出光面２４にいずれの光拡散微細構造も形成されていない。そのため、出光面に光拡散微細構造が形成されたレンズでは、本実施形態における第２のレンズ部２ではない。
【００３２】
また、本実施形態において、組合せレンズ１００における前記光拡散面２３と出射面１５との間に、ガス状媒体層３が介設されており、それにより、前記第１のレンズ部１と第２のレンズ部２とが互いに間隔をあけて配置される。なかでも、複数の前記光拡散微細構造２３１（又は、前記光拡散面２３）は、前記ガス状媒体層３に露出している。かつ、本実施形態において、前記ガス状媒体層３は空気層であるが、本発明はこの例に制限されない。
【００３３】
それで、複数の光拡散微細構造２３１を前記組合せレンズ１００の内側（前記投影エリア）に配置することにより、前記第１のレンズ部１の出射面１５から出光する光線が前記複数の光拡散微細構造２３１により、さらに柔らかいように均質化に処理される。また、それにより、前記複数の光拡散微細構造２３１は、組合せレンズ１００以外の外部要因により影響がかかりにくいため、前記組合せレンズ１００による光学的な効果をより効果的に確保することができる。
【００３４】
さらに言えば、前記組合せレンズ１００は、前記部分構成要件、例えば、前記光拡散面２３と出射面１５との間の距離Ｄを透光パネル２１の厚さＴの以下にすること、複数の光拡散微細構造２３１が前記ガス状媒体層３に露出すること、又は前記環状側面１１及び出光面２４にいずれの光拡散微細構造も形成しないことを選択的に加えることにより、組合せレンズ１００は、さらに優れた光学効果を果たすことができる。
【００３５】
本実施形態において、前記発光要素２００は、少なくとも１つの発光ダイオードを例として説明したが、本発明はこの例に制限されない。なかでも、前記発光要素２００は、前記載設台３００に電気的に接続されるように固設される。かつ、前記組合せレンズ１００は、前記載設台３００に、前記発光要素２００の一側（例えば、図２における発光要素２００の上側）に位置するように配置される。さらに言えば、前記発光要素２００は、前記中心軸Ｃに位置するが、前記溝状空間１２３内に位置されない。即ち、発光要素２００は、前方入射領域１２１の直下に配置さる。また、前記発光要素２００は、前記第１のレンズ部１の入射面１２（及び複数の側面入射面１３）に向かって光線を発光するために用いられる。
【００３６】
さらに、本実施形態において、前記載設台３００は、着装自由に外部電源（例えば、電球ホルダー）に配置されるために用いられる。それにより、ランプ１０００の作動に必要な電力を取るようになる。さらに言えば、前記載設台３００が前記外部電源から電力を取得して、前記発光要素２００を前記入射面１２（及び複数の側面入射面１３）に向かって前記光線を発光させる場合、前記入射面１２（及び複数の側面入射面１３）を経過して前記組合せレンズ１００に入った前記光線では、前記出射面１５及び複数の前記光拡散微細構造２３１を透過して、前記出光面２４より、前記組合せレンズ１００から出射する。
【００３７】
［第２の実施形態］
図５を参照されたい。図５は、本発明に係る第２の実施形態を示す模式図である。本実施形態は、前記第１の実施形態と同様であるため、それらの相同処についての説明はここで省略する。なお、本実施形態が前記第１の実施形態に比べて、主な差異は、前記組合せレンズ１００であった。
【００３８】
本実施形態において、前記組合せレンズ１００は、前記光拡散面２３と出射面１５との間に充填された透光性接着剤層４が、ガス状媒体層３の代わりに配置される。かつ、複数の前記光拡散微細構造２３１が前記透光性接着剤層４に埋設される。
【００３９】
なかでも、本実施形態において、前記出射面１５及び光拡散面２３は、前記透光性接着剤層４により完全に被覆され粘着されるため、第１のレンズ部１と第２のレンズ部２との間の相対位置は、前記透光性接着剤層４によって一定に保持されてもよい。なお、本実施形態において、前記透光性接着剤層４は透明に形成されるが、透光性接着剤層４の材料又は屈折率は、実際のデザイン及びニーズに応じて変更できる。本発明はそれを制限しない。
【００４０】
［第３の実施形態］
図６を参照されたい。図６は、本発明に係る第３の実施形態を示す模式図である。本実施形態は、前記第１の実施形態と同様であるため、それらの相同処についての説明はここで省略する。なお、本実施形態が前記第１の実施形態に比べて、主な差異は、前記発光モジュールであった。
【００４１】
本実施形態において、前記第１のレンズ部１の表面に、環状側面１１、前記環状側面１１の内側に位置する入射面１２、及び前記入射面１２の反対側に位置し環状側面１１に接続する出射面１５のみが配置されており、即ち、前記第１のレンズ部１に前記側面入射面１３及び反射面１４が形成されていない。なかでも、前記第１の実施形態のように、前記入射面１２包囲で、溝状空間１２３が形成されている。前記発光要素２００は、前記中心軸Ｃに位置し、かつ、前記発光要素２００の少なくとも一部は、前記溝状空間１２３内に位置する。
【００４２】
［第４の実施形態］
図７を参照されたい。図７は、本発明に係る第４の実施形態を示す模式図である。本実施形態は、前記第１の実施形態と同様であるため、それらの相同処についての説明はここで省略する。なお、本実施形態が前記第１の実施形態に比べて、主な差異は、前記組合せレンズ１００であった。
【００４３】
本実施形態において、前記第２のレンズ部２がフラット板状に形成されてもよい。即ち、第２のレンズ部２に外周フランジ２２が形成されなくてもよい。かつ、前記第１のレンズ部１と第２のレンズ部２とは、前記組合せレンズ１００以外の要素で互いの相対位置を一定に保持するように構成される。なかでも、本実施形態において、前記第１のレンズ部１と第２のレンズ部２とは、載設台３００により、互いに相対位置を一定に維持するように構成されるが、本発明はこの例に制限されない。
【００４４】
［本発明に係る実施形態による技術的効果］
上記を纏めて、本発明に係る実施形態が公開するランプ、発光モジュール及びその組合せレンズでは、複数の光拡散微細構造を前記組合せレンズの内側（かつ前記投影エリアに位置する）ことにより、前記第１のレンズ部の出射面から出射する光線は、前記複数の光拡散微細構造により均質化されてさらに柔らかくされることができる。かつ、その構成により、前記複数の光拡散微細構造には、組合せレンズ以外の外部要因による影響が掛かりにくくなるため、前記組合せレンズの光学的な効果をさらに確保することができる。
さらに言えば、前記組合せレンズは、例えば、前記光拡散面と出射面との間の距離が透光パネルの厚さの以下であること、複数の光拡散微細構造が前記ガス状媒体層に露出され又は透光性接着剤層に埋め込まれること、前記環状側面及び出光面にいずれの光拡散微細構造も形成していないことなど、上述した構造を選択的にさらに有することにより、組合せレンズには、さらに優れた光学的な効果を持たせることができる。
【００４５】
また、前記第１のレンズ部では、前記入射面及び複数の側面入射面を有することにより、光線が異なる経路で前記第１のレンズ部に入光し、かつ、前記光線が前記入射面及び複数の側面入射面に沿って異なる屈折経路に沿って伝送されることができ、その結果、前記異なる屈折経路同士の組合により、にさらに異なる屈折経路が派生し、それにより、前記光線が、前記出射面までに分散され、前記第１のレンズ部の出射面による出光を均質化させることができる。
【００４６】
以上に開示される内容は本発明の好ましい実施可能な実施例に過ぎず、これにより本発明の特許請求の範囲を制限するものではない。そのため、本発明の明細書及び添付図面の内容に基づき為された等価の技術変形は、全て本発明の特許請求の範囲に含まれるものとする。
【符号の説明】
【００４７】
１０００  ランプ
１００    組合せレンズ
１        第１のレンズ部
２        第２のレンズ部
３        ガス状媒体層
４        透光性接着剤層
１１      環状側面
１２      入射面
１２１    前方入射領域
１２２    側方入射領域
１２３    溝状空間
１３      側面入射面
１４      反射面
１５      出射面
２１      透光パネル
２２      外周フランジ
２３      拡散面
２３１    光拡散微細構造
２４      出光面
Ｃ        中心軸
Ｄ        距離
Ｔ        厚さ
２００    発光要素
３００    載設台
【図１】
0006963658.tif 000002
【図２】
0006963658.tif 000003
【図３】
0006963658.tif 000004
【図４】
0006963658.tif 000005
【図５】
0006963658.tif 000006
【図６】
0006963658.tif 000007
【図７】
0006963658.tif 000008